(57)【要約】【課題】２枚のシート体を重ね合わせて物品収納部を形成した包装容器において、物品収納部内に物品を固定するための固定用リブなどの余分な構造を採用することなく、物品を収納部内に確実に固定可能とした包装容器を提供する。【解決手段】物品収納用凹部４，５を設けた２枚のシート体２，３を重ね合わせて物品収納部を形成し、シート体２の物品収納用凹部４の周縁に嵌合用凸枠部７を、シート体３に嵌合用凸枠部７に嵌合する嵌合用凹枠部８を設け、嵌合用凸枠部７の内側面７ａが物品収納部内に収納される物品Ａの外側面ａに密接するように形成した包装容器１であり、物品収納部の周縁に形成した嵌合用凸枠部７の内側面７ａが、物品収納部内に収納される物品Ａの外側面ａに密接するので、物品Ａを収納部内に固定するための固定用リブなどの余分な構造を採用することなく、物品Ａを物品収納部内に確実に固定することができる。【選択図】  図２
2005014944.tif 000002
【特許請求の範囲】
【請求項１】
２枚のシート体の一方又は双方に物品収納用凹部を設け、両シート体を重ね合わせて前記物品収納用凹部により、物品収納部を形成し、両シート体のいずれか一方には、前記物品収納用凹部の周縁に嵌合用凸枠部を形成し、他方のシート体には、前記嵌合用凸枠部に嵌合しうる嵌合用凹枠部を設けてなり、前記嵌合用凸枠部の内側面が前記物品収納部内に収納される物品の外側面に密接するように形成してなる包装容器。
【請求項２】
前記２枚のシート体における嵌合用凸枠部及び嵌合用凹枠部の外側に、互いに重なり合うフランジ及び／又は摘み部を設け、前記２枚のシート体とは別途設けた印刷台紙の端部を、前記重なり合うフランジ間及び／又は摘み部間に挟持固定するとともに、前記２枚のシート体間に挟持される印刷台紙端縁の外形形状を包装容器の嵌合用凸枠部の外周形状に一致させ、前記フランジ及び／又は摘み部の重なり部分の一方のシート体に嵌合凸部を、他方のシート体に嵌合凹部又は嵌合穴を設け、前記印刷台紙の端縁を前記嵌合用凸枠部の外側面に沿って当接させるとともに、該印刷台紙の端部に設けた係止穴に前記嵌合凸部を挿通した状態で前記２枚のシート体における互いに重なり合うフランジ及び／又は摘み部間に印刷台紙を挟持した状態で、前記嵌合凸部と嵌合凹部若しくは嵌合穴とを嵌合することで、印刷台紙を２枚のシート体からなる包装容器に取り付けて印刷部を設けてなる請求項１記載の包装容器。
【請求項３】
前記包装容器の周囲に、物品収納部から外側へ突出するフランジ及び／又は摘み部を設け、更に前記フランジ及び／又は摘み部から外側に突出する印刷部を設け、該印刷部における前記フランジ又は摘み部から突出した部分の基端部に折曲線を設けてなる請求項１又は２に記載の包装容器。
【請求項４】
前記２枚のシート体のいずれか一方に設けた物品収納用凹部の周縁に嵌合用凹枠部を設け、他方のシート体に前記嵌合用凹枠部に嵌合する嵌合用凸枠部を設け、前記嵌合用凹枠部及び嵌合用凸枠部の周囲から外側にそれぞれフランジ及び／又は摘み部を突設し、前記物品収納用凹部を設けたシート体のフランジ及び／又は摘み部に嵌合凸部を、他方のシート体のフランジ及び／又は摘み部に前記嵌合凸部に嵌合する嵌合凹部又は嵌合穴を設け、該嵌合凹部又は嵌合穴に前記嵌合凸部を嵌合するとともに、前記嵌合凹部又は嵌合穴から突出した嵌合凸部を、前記２枚のシート体とは別部材にて形成した印刷台紙に設けた係止穴へ装着することで、印刷台紙を包装容器に対して回動可能に装着してなる請求項１記載の包装容器。
【発明の詳細な説明】
【０００１】
【発明の属する技術分野】
本発明は、例えば、デンタルフロス、歯磨き、歯ブラシなどの口腔用ケア製品、化粧品、筆記具などの各種の比較的小型の物品を包装する包装容器に関し、更に詳しくは、２枚のシート体間に形成された物品収納部に前記各種物品を収納する形態の包装容器に関する。
【０００２】
【従来の技術】
従来、上記のような包装容器としては、例えば合成樹脂製の２枚のシート体のそれぞれに互いに一致する物品収納用凹部を設け、両シート体を重ね合わせて形成される物品収納部に各種物品を収納するようにしたものがある。前記包装容器として、一方のシート体の物品収納用凹部の周縁に嵌合用凹枠部（凹条部）を設け、他方のシート体の物品収納用凹部の周縁に前記嵌合用凹枠部に嵌合する嵌合用凸枠部（凸条部）を設け、前記嵌合用凹枠部と嵌合用凸枠部とを嵌合することで両シート体を重合状態に固定し、両シート体にて形成される物品収納部内に各種物品を確実に保持可能としたものが開示されている（例えば、特許文献１〜４など参照。）。また、２枚のシート体の内の一方のみに物品収納用凹部を設け、他方のシート体に設けた嵌合用凸部を前記物品収納用凹部に嵌合させて両シート体を重合状態に固定し、前記両シート体の物品収納用凹部と嵌合用凸部にて形成される物品収納部内に各種物品を確実に保持可能としたものも開示されている（例えば、特許文献５〜６など参照。）。
【０００３】
更に、前記のような包装容器における物品収納部の周囲に、商標、商品説明などの印刷部を設けたものがある。このような印刷部を設けたものとしては、前記包装容器のシート体における物品収納用凹部の周囲に広いフランジを設けて印刷部としたものが開示されている（例えば、特許文献４など参照。）。また、前記包装容器の２枚のシート体における物品収納用凹部の周囲に互いに重なるフランジを設け、何れか一方のシート体のフランジに係止凸部を設け、他方のシート体のフランジに前記係止凸部が嵌合する係止凹部又は係止穴を設けておき、前記２枚のシート体とは別途設けた印刷台紙に前記シート体の係止凸部が挿通する貫通穴を設けておき、前記印刷台紙を２枚のシート体のフランジ間に挟持するとともに、一方のシート体に設けた係止凸部を印刷台紙の貫通孔に挿通した後、他方のシート体の係止凹部又は係止穴に嵌合することで、印刷台紙を固定するようにしたものも開示されている（例えば、特許文献６など参照。）。
【０００４】
しかし、例えば上記特許文献１〜４に開示された、２枚のシート体のそれぞれに物品収納用凹部を設け、２枚のシート体を重ね合わせることで物品収納部を形成し、いずれか一方のシート体に設けた物品収納用凹部の周縁に嵌合用凹枠部を設け、他方のシート体の物品収納用凹部の周縁に前記嵌合用凹枠部に嵌合する嵌合用凸枠部（凸条部）を設けた包装容器の場合も、また、特許文献５〜６に開示された、２枚のシート体の内の一方のみに物品収納用凹部を設け、他方のシート体に設けた嵌合用凸部を前記物品収納用凹部に嵌合させ、前記物品収納用凹部と嵌合用凸部との間に物品収納部を形成するようにした包装容器の場合も、物品収納部内に塵や埃の侵入を防止することに主眼が置かれていたため、物品収納部内に収納された物品を該収納部内に固定するためには、前記物品収納用凹部内に、前記嵌合用凹枠部、凸枠部などの他に、物品固定用のリブなどを設ける必要があった。
【０００５】
また、前記のような従来の包装容器における物品収納部の周囲に印刷部を設ける場合には、例えば特許文献４などに開示されたような、包装容器のシート体における物品収納用凹部の周囲に広いフランジを設けて印刷部としたものでは、印刷部と物品収納用凹部との位置を合わせるのが困難である。即ち、前記のようなシート体からなる包装容器は、熱可塑性合成樹脂シートを用いて真空成形、圧空成形、加熱プレス成形などにより物品収納用凹部や嵌合用凸枠部及び嵌合用凹枠部を形成するのが一般的である。しかし、例えば、特許文献４などに開示された包装容器のように、シート体における印刷部への印刷後に物品収納用凹部を形成する場合には、物品収納用凹部や嵌合用凹枠部、凸枠部などを、印刷済みのシート体の正確な位置に成形することはかなり高度な技術を必要とする。また、特許文献６などに開示された包装容器のように、印刷台紙を２枚のシート体のフランジ間に挟持し、一方のシート体に設けた係止凸部を印刷台紙の貫通孔に挿通した後、他方のシート体の係止凹部又は係止穴に嵌合することで、印刷台紙を固定するようにした包装容器では、前記印刷台紙を確実に固定する為には、係止凸部及び係止凹部若しくは係止穴を複数形成する必要があり、包装容器の成形及び物品を包装する際の作業が複雑化し、また手間がかかるという問題があった。
【０００６】
さらに、前記のように、物品収納部の周囲に印刷部（印刷台紙）を設けた包装容器では、この包装容器を輸送、又は保管の為に数個ずつ、あるいは１ダースずつなどの所定の個数ごとに箱に収納する場合、前記収納するための箱内に、前記包装容器の印刷部や印刷台紙を収納する分だけの余分な空間が必要となり、収納効率の悪いものであった。
【０００７】
【特許文献１】
特開平９−１２３２６９号公報
【特許文献２】
特開平９−１６５０７０号公報
【特許文献３】
特開２０００−２２９６５３号公報
【特許文献４】
特開２００１−３０１８２２号公報
【特許文献５】
特開平９−１２３２７０号公報
【特許文献６】
特開２００１−１８０６４２号公報
【０００８】
【発明が解決しようとする課題】
本発明の目的は、２枚のシート体を重ね合わせることで物品収納部を形成してなる包装容器において、物品収納部内に収納された物品を該収納部内に固定するための固定用リブなどの余分な構造を採用することなく、物品収納部内に収納された物品を確実に固定可能とすることである。
【０００９】
本発明の他の目的は、前記包装容器において、物品収納部の周囲に印刷部を設ける場合に、高度な印刷技術や成形技術を必要としたり、あるいは物品を包装する際の作業を複雑化させることなく、印刷部を設けることを可能とすることである。
【００１０】
本発明のさらに他の目的は、前記包装容器において、物品収納部の周囲に印刷部や印刷台紙を設けた場合に、この包装容器を運搬、保管などのために所定数毎に収納する箱内に前記印刷部や印刷台紙を設けたために余分な空間が必要となることを極力防止し、前記箱内への包装容器の収納効率を高めることにある。
【００１１】
【課題を解決するための手段】
上記の目的を達成するため、本発明に係る包装容器は、２枚のシート体の一方又は双方に物品収納用凹部を設け、両シート体を重ね合わせて前記物品収納用凹部により、物品収納部を形成し、両シート体のいずれか一方には、前記物品収納用凹部の周縁に嵌合用凸枠部を形成し、他方のシート体には、前記嵌合用凸枠部に嵌合しうる嵌合用凹枠部を設けてなり、前記嵌合用凸枠部の内側面が前記物品収納部内に収納される物品の外側面に密接するように形成してなる。
【００１２】
上記のような包装容器によれば、物品収納部の周縁に形成した嵌合用凸枠部の内側面が、前記物品収納部内に収納される物品の外側面に密接するので、物品収納部内に収納された物品を該収納部内に固定するための固定用リブなどの余分な構造を採用することなく、物品収納部内に収納された物品を確実に固定することができる。
【００１３】
また、前記包装容器においては、前記嵌合用凸枠部における周方向の全長にわたって、物品収納部内に収納される物品の外側面に密接されてもよいし、前記嵌合用凸枠部における周方向の一部分のみに物品の外側面が密接するようにしてもよい。嵌合用凸枠部における周方向の全長が収納される物品の外側面に密接するようにした場合には、前記収納された物品を物品収納部内に確実に保持、固定することができる。
【００１４】
前記包装容器においては、一方のシート体に設けた嵌合用凸枠部及び他方のシート体に設けた嵌合用凹枠部のさらに外側に、互いに重なり合うフランジを設けても良い。このフランジを設けることで、２枚のシート体からなる前記包装容器全体の強度が向上すると同時に、前記フランジによって２枚のシート体の一方と他方に設けた嵌合用凸枠部及び嵌合用凹枠部の強度が増大し、ひいては、前記凸枠部と凹枠部とによる嵌合強度が向上し、物品収納部内に収納される物品をより確実に保持、固定することができる。
【００１５】
前記包装容器においては、前記嵌合用凸枠部の外面と前記嵌合用凹枠部の内面とのいずれか一方に係止凸部を、他方に前記係止凸部に係止する係止凹部を設けてもよい。前記係止凸部と係止凹部との係止により、嵌合用凸枠部と嵌合用凹枠部との嵌合強度がより増大し、２枚のシート体よりなる包装容器の物品収納部内により確実に物品を保持することができる。
【００１６】
前記包装容器においては、２枚のシート体の外周部分、前記フランジを設けたものでは該フランジの外周部分から外側に突出し、互いに重なる摘み部をそれぞれのシート体に設けてもよい。このように、摘み部を設けておけば、２枚のシート体のぞれぞれに設けた摘み部同士を指で剥がす方向に引っ張ることで、物品収納部を形成している２枚のシート体におけるそれぞれの物品収納用凹部の周縁に設けた嵌合用凸枠部と嵌合用凹枠部との嵌合を解除し、物品収納部内に収納された物品を取り出し易くなる。このとき、前記２枚のシート体のそれぞれに設けた摘み部として、一方を他方より大きく形成したり、それぞれのシート体に設けた摘み部の位置をずらしたりすることで、両シート体に設けた摘み部の引き剥がし、ひいては２枚のシート体の離間を容易にして、物品収納部内に収納された物品をより取り出し易くすることができる。
【００１７】
前記包装容器を構成する２枚のシート体は、それぞれ分離されていてもよいし、折り曲げ線を介して一体成形してもよい。このように、折曲線を介して一体成形した場合には、包装容器の成形及び２枚のシート体の重ね合わせ、ひいては包装容器の物品収納部内への収納、包装作業が容易となる。前記折曲線としては、例えば、ミシン目、肉薄筋線などを採用することができる。
【００１８】
上記のような本発明の包装容器を構成するシート体の材質としては、熱可塑性合成樹脂シートを用いることができる。このように熱可塑性合成樹脂シートの場合には、真空成形、圧空成形、加熱プレス成形などによりシート体に物品収納用凹部や嵌合用凸枠部、嵌合用凹枠部などを形成することが容易となる。熱可塑性合成樹脂としては、例えばポリエステル系樹脂、ポリエチレン、ポリプロピレンなどのポリオレフィン系樹脂、ポリスチレン系樹脂、ポリカーボネートなどが挙げられる。更に、前記シートとして、透明なものを用いた場合には、該包装容器に収容された物品の視認性に優れるので好ましい。また、前記シート体の厚さは特に限定されるものではなく、容器の大きさや重量などにもよるが、通常は１００μｍ〜１ｍｍ程度である。
【００１９】
前記包装容器においては、該包装容器に収納される物品の商標、説明、製造会社名、販売会社名などの各種情報を印刷する印刷部を設けることもできる。この印刷部は、該包装容器を構成する２枚のシート体のいずれか一方の外周縁、フランジを設けたものでは該フランジの外周縁から外側に突設してもよいし、２枚のシート体とは別途設けた印刷台紙の端部を、前記２枚のシート体間、例えば、両シート体に設けたフランジ間や摘み部間に挟持固定するようにして印刷部を設けても良い。この場合、前記２枚のシート体における互いに重なり合うフランジ及び／又は摘み部の一方に嵌合凸部を、他方に嵌合凹部又は嵌合穴を設けておき、前記印刷台紙の端部を、該端部に設けた係止穴に前記嵌合凸部を挿通した状態で前記２枚のシート体における互いに重なり合うフランジ及び／又は摘み部間に挟持し、前記嵌合凸部と嵌合凹部若しくは嵌合穴とを嵌合することで、印刷台紙を２枚のシート体からなる包装容器に確実に取り付けることができる。
【００２０】
前記のように、印刷部を、包装容器を構成する２枚のシート体とは別に包装台紙として形成し、包装容器に取り付ける構成とすることで、凹凸成形した後のシート体に印刷したり、印刷後のシート体の透明部分に正確に位置合わせして物品収納用凹部などを成形するといった必要がばく、シート体における物品収納用凹部の成形、印刷台紙における各種情報の印刷作業が容易となり、高度な印刷技術や成形技術を必要としたり、あるいは物品を包装する際の作業が複雑化させることなく、印刷部を設けることが可能となる。
【００２１】
さらに、前記２枚のシート体間に挟持される印刷台紙端縁の外形形状を、包装容器の嵌合用凸枠部の外周形状に一致させ、当接状態に取り付けることで、２枚のシート体間に挟持され、取り付けられた印刷台紙を、包装容器に対してガタツキなく取り付けることができる。
【００２２】
前記２枚のシート体の何れか一方から延設したり、あるいは２枚のシート体の重なり合うフランジ及び／又は摘み部間に挟持固定した印刷台紙よりなる印刷部には、吊り下げ用の穴を設けることができる。このように吊り下げ用穴を設けておけば、店頭展示などの際に、陳列台の垂直壁面から略水平に突設した支持棒を前記吊り下げ用穴に通すことで、包装容器を水平方向に重ねた状態で、容易且つ購入者から見やすい状態に展示することができる。この吊り下げ用穴の形状は特に限定されるものではなく、丸形、角形、その他、任意の形に形成することができる。
【００２３】
前記印刷台紙などの印刷部には、前記フランジや摘み部から外側に突出する部分の基端部に折曲線を設けておくことが好ましい。このように包装容器の外側に向かって突出する印刷部に折曲線を設けておくことで、この包装容器を運搬、保管などのために所定数毎に箱に収納する場合には、前記折曲線にそって印刷部を包装容器に対してほぼ直角または直角に近い角度に折曲しておき、複数の包装容器を水平方向に、またそれら包装容器の印刷部をほぼ垂直方向に、互いにほぼ密接した状態で収納することができ、前記印刷部や印刷台紙を設けたために、包装容器を収納する箱内に余分な空間が必要となることを極力防止し、前記箱内への包装容器の収納効率を高めることができる。また、この包装容器を店頭展示する場合には、前記折曲した印刷台紙を包装容器の延長方向に広げることで、該印刷台紙に印刷した商標、商品説明、製造会社名、販売会社名などを消費者が容易に判読することができる。更に、前記印刷台紙や印刷部に吊り下げ用穴を設けておけば、店頭展示などの際に、陳列台の垂直壁面から略水平に突設した支持棒を前記吊り下げ用穴に通して、複数の包装容器を水平方向に重ねた状態で、容易且つ購入者から見やすい状態に展示することができる。
【００２４】
また、本発明に係る別の包装容器は、前記２枚のシート体のいずれか一方に設けた物品収納用凹部の周縁に嵌合用凹枠部を設け、他方のシート体に前記嵌合用凹枠部に嵌合する嵌合用凸枠部を設け、前記嵌合用凹枠部及び嵌合用凸枠部の周囲から外側にそれぞれフランジ及び／又は摘み部を突設し、前記物品収納用凹部を設けたシート体のフランジ及び／又は摘み部に嵌合凸部を、他方のシート体のフランジ及び／又は摘み部に前記嵌合凸部に嵌合する嵌合凹部又は嵌合穴を設け、該嵌合凹部又は嵌合穴に前記嵌合凸部を嵌合するとともに、前記嵌合凹部又は嵌合穴から突出した嵌合凸部を、前記２枚のシート体とは別部材にて形成した印刷台紙に設けた係止穴へ装着することで、印刷台紙を包装容器に対して回動可能に装着してなるものである。この包装容器においては、該包装容器を運搬、保管などのために所定数毎に箱に収納する際に、前記印刷台紙を包装容器に重なる位置に回動させておけば、複数の包装容器を水平方向に、または垂直方向に、互いにほぼ密接した状態で収納することができ、収納する箱内に前記印刷部や印刷台紙を設けたために余分な空間が必要となることを極力防止し、前記箱内への包装容器の収納効率を高めることができる。また、この包装容器を店頭展示する場合には、前記印刷台紙を包装容器と重ならない位置まで回動させることで、該印刷台紙に印刷した商標、商品説明、製造会社名、販売会社名などを消費者が容易に判読することができる。更に、前記印刷台紙に吊り下げ用穴を設けておけば、店頭展示などの際に、陳列台の垂直壁面から略水平に突設した支持棒を前記吊り下げ用穴に通して、包装容器を水平方向に重ねた状態で、容易且つ購入者から見やすい状態に展示することができる。
【００２５】
【発明の実施の形態】
図１〜図４は、本発明に係る包装容器の１実施の形態を示すものである。この包装容器１は、２枚のシート体２、３の双方に物品収納用凹部４、５を設け、両シート体２、３を重ね合わせて物品収納用凹部２、３により、物品収納部６を形成可能としてある。前記一方のシート体２には、前記物品収納用凹部４の周縁に嵌合用凸枠部を形成してある。また、他方のシート体３には、その物品収納用凹部５の周縁に、嵌合用凸枠部７に嵌合しうる嵌合用凹枠部８を設けてある。シート体２の物品収納用凹部４とシート体３の物品収納用凹部５とにより形成される物品収納部６には、収納すべき物品、図示した実施の形態においては、ケース入りのデンタルフロスＡを収納してある。そして、この包装容器１においては、シート体２の物品収納用凹部４の周縁に設けた嵌合用凸枠部７の内側面７ａが物品収納部６内に収納されている物品、即ちケース入りデンタルフロスＡの外側面ａに密接するように形成してなる。更に、図例の実施の形態においては、他方のシート体３に形成した物品収納用凹部５の外周縁内面５ａ部分もケース入りデンタルフロスＡの外側面ａに密接している。なお、図示した実施の形態においては、シート体２、３、該シート体２、３に形成した物品収納用凹部４、５、物品収納部６並びに嵌合用凸枠部７、嵌合用凹枠部８などは、いずれも該包装容器１に収納するケース入りデンタルフロスＡの外形形状に応じて卵に似たほぼ楕円形に形成されているが、前記各部の形状は図例のものに限定されるものではなく、収納される物品の形状に応じて任意の形状に形成しうることはいうまでもない。
【００２６】
上記のような包装容器１によれば、物品収納部６を形成する物品収納用凹部４の周縁に形成した嵌合用凸枠部７の内側面７ａが、物品収納部６内に収納されたケース入りデンタルフロスＡの外側面ａに密接するので、物品収納部６内に収納されたケース入りデンタルフロスＡを物品収納部６内に固定するための固定用リブなどの余分な構造を採用することなく、物品収納部６内に収納された物品を確実に固定することができる。
【００２７】
また、収納物品であるケース入りデンタルフロスＡの外側面ａは、図例の如く嵌合用凸枠部７における周方向の全長にわたって密接していてもよいし、嵌合用凸枠部７の周方向の一部の内側面７ａのみに密接するようにしてもよい。しかし、嵌合用凸枠部７における周方向の全長にわたって、その内側面７ａが、物品収納部６内に収納されている物品、即ちケース入りデンタルフロスＡの外側面ａに密接するようにした場合には、収納物品であるケース入りデンタルフロスＡを物品収納部６内に確実に保持、固定することができので好ましい。
【００２８】
また、包装容器１には、シート体２に設けた嵌合用凸枠部７及びシート体３に設けた嵌合用凹枠部８から外側に向かって、互いに重なり合うフランジ９、１０を設けてある。このようにフランジ９、１０を設けることで、２枚のシート体２、３からなる包装容器１全体の強度が向上すると同時に、フランジ９、１０によってシート体２に設けた嵌合用凸枠部７とシート体３に設けた嵌合用凹枠部８の強度が増大し、ひいては、嵌合用凸枠部７と嵌合用凹枠部８とによる嵌合強度が向上し、物品収納部６内に収納されている物品（ケース入りデンタルフロスＡ）をより確実に保持、固定することができる。
【００２９】
更に、この包装容器１には、シート体２の嵌合用凸枠部７の外面に係止凹部１１を設け、シート体３の嵌合用凹枠部８の内面に前記係止凹部１１に係止する係止凸部１２を設けてある。係止凹部１１と係止凸部１２とは、嵌合用凸枠部７と嵌合用凹枠部８のいずれに設けても良い。そして、これら係止凹部１１と係止凸部１２との係止により、嵌合用凸枠部７と嵌合用凹枠部８との嵌合強度がより増大し、シート体２、３よりなる包装容器１の物品収納部６内により確実に物品（ケース入りデンタルフロスＡ）を保持することができる。
【００３０】
また、包装容器１においては、２枚のシート体２、３の外周部分、即ちフランジ９、１０の外周部分から外側に突出する、互いに重なる摘み部１３、１４を設けてもよい。図例の摘み部１３、１４は、いずれも略舌片状で、シート体２に設けた摘み部１３をシート体３に設けた摘み部１４よりも大きく形成してある。このように、２枚のシート体２、３に摘み部１３、１４を設けておけば、シート体２、３のぞれぞれに設けた摘み部１３、１４同士を指で剥がす方向に引っ張ることで、物品収納部６を形成しているシート体２、３における物品収納用凹部４、５の周縁に設けた嵌合用凸枠部７と嵌合用凹枠部８との嵌合を容易に解除でき、物品収納部６内に収納された物品（ケース入りデンタルフロスＡ）を取り出し易い。このとき、シート体２、３のそれぞれに設けた摘み部１３、１４として、図例のように一方の摘み部１３を他方の摘み部１４より大きく形成したり、あるいはそれぞれのシート体２、３に設けた摘み部１３、１４の位置をずらしたりすることで、シート体２、３に設けた摘み部１３及び１４同士の引き剥がし、ひいては２枚のシート体２、３の離間を容易にして、物品収納部６内に収納された物品の取り出しがより容易になる。
【００３１】
包装容器１を構成する２枚のシート体２、３は、それぞれ分離されていてもよいし、図例の如く、折り曲げ線１５を介して一体成形してもよい。このように、折曲線１５を介して２枚のシート体２、３を一体成形した場合には、包装容器１の成形及び２枚のシート体２、３の重ね合わせ、ひいては包装容器１の物品収納部６内への物品、例えば図示したケース入りデンタルフロスＡなどの物品の収納、包装作業が容易となる。折曲線１５としては、例えば、図例のようなミシン目の他、肉薄筋線なども採用することができ、特に限定されるものではない。
【００３２】
包装容器１を構成するシート体２、３の材質は、熱可塑性合成樹脂シートである。この熱可塑性合成樹脂シートは、真空成形、圧空成形、加熱プレス成形などによりシート体２の物品収納用凹部４や嵌合用凸枠部７、シート体３の物品収納用凹部５や嵌合用凹枠部８などを形成することが容易である。熱可塑性合成樹脂としては、例えばポリエステル系樹脂、ポリエチレン、ポリプロピレンなどのポリオレフィン系樹脂、ポリスチレン系樹脂、ポリカーボネートなどが挙げられる。更に、シート２、３の材質が透明であれば、包装容器１が、図例のケース入りデンタルフロスＡのような、包装容器１の物品収納部６内に収容された物品の視認性に優れるので好ましい。また、この包装容器１のを構成するシート体２、３の厚さは特に限定されるものではなく、包装容器１や収納される物品の大きさや重量にもよるが、通常は１００μｍ〜１ｍｍ程度である。
【００３３】
また、包装容器１には、その物品収納部６に収納されている物品（ケース入りデンタルフロスＡ）の商標、説明、製造会社名、販売会社名などの各種情報を印刷する印刷部１６を設けてある。この印刷部１６は、包装容器１を構成する２枚のシート体２、３のいずれか一方の外周縁、例えば図例の包装容器１のようにフランジ９、１０を設けたものでは該フランジ９又は１０の外周縁から外側に突出する状態で一体成形してもよいが、図例の如く、包装容器１を構成する２枚のシート体２、３とは別途設けた印刷台紙１７の端部を、２枚のシート体２、３間、例えば両シート体２、３に設けたフランジ９、１０間や、図例の包装容器１のように、両シート体２、３に設けた摘み部１３、１４間に挟持固定するようにして印刷部１６を設けても良い。この場合、２枚のシート体２、３における互いに重なり合うフランジ９、１０又は図例のように重なり合う摘み部の一方１３に嵌合凹部１９又は嵌合穴を、他方の摘み部１４に嵌合凸部２０を設けておき、印刷台紙１７の端部１８を、該端部１８に設けた係止穴２１に嵌合凸部２０を挿通した状態で２枚のシート体２、３における互いに重なり合うフランジ９、１０及び摘み部１３、１４間に挟持し、前記嵌合凸部２０と嵌合凹部１９若しくは嵌合穴とを嵌合することで、印刷台紙１７を２枚のシート体２、３からなる包装容器１に確実に取り付けて、印刷部１６を設けることができる。
【００３４】
前記のように、印刷部１６を、包装容器１を構成する２枚のシート体２、３とは別に包装台紙１７として形成し、包装容器１に取り付ける構成とすることで、包装容器１を構成するシート体２、３における物品収納用凹部４、５の成形、印刷部を構成する印刷台紙１７への各種情報の印刷作業が容易となり、高度な印刷技術や成形技術を必要としたり、あるいは物品を包装する際の作業が複雑化させることなく、包装容器１に印刷部１を容易に設けることができる。
【００３５】
さらに、図例の如く、２枚のシート体２、３間に挟持されて印刷部１６を構成する印刷台紙１７の端縁２２の外形形状を、包装容器１の嵌合用凸枠部７の外側面７ｂの形状に一致させ、嵌合用凸枠部の外側に当接させることで、２枚のシート体２、３間に挟持され、取り付けられた印刷台紙１７を、包装容器１に対してガタツキなく確実に取り付けることができる。
【００３６】
また、包装容器１を構成する２枚のシート体２、３の何れか一方から延設したり、あるいは図例の包装容器１のように２枚のシート体２、３の重なり合うフランジ９、１０及び摘み部１３及び１４間に印刷台紙１７を挟持固定して設けた印刷部１６には、吊り下げ用の穴２３を設けることができる。このように吊り下げ用穴２３を設けておけば、店頭展示などの際に、陳列台の垂直壁面から略水平に突設した支持棒を吊り下げ用穴２３に通すことで、複数の包装容器１を水平方向に互いにほぼ密接した状態で、容易に、しかも購入者から見やすい状態に展示することができる。この吊り下げ用穴２３の形状は特に限定されるものではなく、図例のような丸形の他、角形、その他の任意の形に形成することができる。
【００３７】
次ぎに、図５（ａ）、（ｂ）に示すものは、本発明に係る包装容器の別の実施形態を示すものであり、図１〜４と同一構成部分には同一の符号を付して説明を省略する。この包装容器１００は、印刷台紙１７などにより構成した印刷部１６における、フランジ９、１０更には摘み部１３、１４から外側に突出した部分の基端部に、折曲線１０１を設けてある。
【００３８】
このように印刷部１７に折曲線１０１を設けておくことで、この包装容器１００を運搬、保管などのために所定数毎に箱に収納する場合には、図５（ｂ）に示すように、折曲線１０１にそって印刷部１６の上部１６ａを包装容器１００に対してほぼ直角または直角に近い角度に折曲することで、複数の包装容器１００を水平方向に、またそれら包装容器１００の印刷部１６を、その上部１６ａがほぼ垂直方向に、互いにほぼ密接した状態で収納することができ、印刷部１６や印刷台紙１７を設けたために、包装容器１００を収納する箱内に余分な空間が必要となることを極力防止し、前記箱内への包装容器１００の収納効率を高めることができる。また、前記印刷部１６の上部１６ａを折曲線１０１に沿って約１８０度折り曲げて包装容器１００の裏面側にほぼ重なるようにしてもよい。そして、包装容器１００を店頭展示する場合には、折曲した印刷部１６の上部１６ａを包装容器１００の延長線方向（図５（ｂ）における上方向）に広げることで、印刷部１６を構成する印刷台紙１７、特に印刷部上部１６ａに印刷した商標、商品説明、製造会社名、販売会社名などを消費者が容易に判読することができる。更に、印刷台紙１７に吊り下げ用穴２３を設けておけば、店頭展示などの際に、陳列台に略水平に突設した支持棒を吊り下げ用穴２３に通して複数の包装容器１００を水平方向に重ねた状態で、容易且つ購入者から見やすい状態に展示することができる。更に、印刷台紙１７における折曲線１０１の中途部に、図５（ａ）に想像線で示したような開穴１０２を設けておけば、折曲線１０１による印刷台紙１７の折り曲げ及び広がりが容易となる。更に、摘み部１３又は１４の少なくとも一方の上端縁を折曲線１０１と一致する直線状とすることでも折曲線１０１による印刷台紙１７の折り曲げ及び広がりが容易となる。
【００３９】
図６（ａ）、（ｂ）に示すものは、本発明に係る包装容器の更に別実施形態を示すものであり、図１〜４と同一構成部分には同一の符号を付して説明を省略する。この包装容器２００は、一方のシート体３のみに物品収納用凹部５を設けるとともに、図１〜４に示す包装容器１と同様に、該シート体３に設けた物品収納用凹部５の周縁に嵌合用凹枠部８を設け、図６には示していないが、他方のシート体２には物品収納用凹部は設けることなく、嵌合用凹枠部８に嵌合する嵌合用凸枠部７のみを設けてある。また、嵌合用凹枠部８及び嵌合用凸枠部７の周囲から外側に、それぞれフランジ１０、９及び摘み部１４、１３を突設してある。そして、一方のシート体３のフランジ１０から突出する摘み部１４に嵌合凸部２０を、他方のシート体２のフランジ９から突出する摘み部１３には嵌合凸部２０に嵌合する嵌合穴２０１を設け、シート体２、３を重ね合わせて嵌合穴２０１に嵌合凸部２０を貫通、嵌合するとともに、嵌合穴２０１から突出した嵌合凸部２０を、包装容器２００を構成する２枚のシート体２、３とは別部材にて形成した印刷台紙１７に設けた係止穴２０２へ装着することで、印刷台紙１７を包装容器２００に対して回動可能に装着してなる。
【００４０】
この包装容器２００においては、該包装容器２００を運搬、保管などのために所定数毎に箱に収納する際に、図６（ｂ）に示すように、嵌合凸部２０を中心にして印刷台紙１７を包装容器２００に重なる位置（包装容器２００の裏面側）に回動させておけば、複数の包装容器２００を水平方向に、または垂直方向に、互いにほぼ密接した状態で収納することができ、印刷台紙１７により印刷部１６を設けたために、包装容器２００を収納する箱内に余分な空間が必要となることを極力防止し、前記箱内への包装容器２００の収納効率を高めることができる。また、この包装容器２００を店頭展示する場合には、図６（ａ）に示すように、印刷台紙１７を包装容器２００と重ならない位置、即ち包装容器２００の上方に回動させることで、印刷台紙１７に印刷した商標、商品説明、製造会社名、販売会社名などを消費者が容易に判読することができる。更に、この包装容器２００の場合にも、印刷台紙１７に吊り下げ用穴２３を設けておけば、店頭展示などの際に、陳列台から略水平に突設した支持棒を吊り下げ用穴２３に通して複数の包装容器２００を水平方向に重ねた状態に、容易に展示でき、しかも購入者から見やすい状態に展示することができる。
【００４１】
【発明の効果】
本発明の包装容器においては、２枚のシート体の一方又は双方に物品収納用凹部を設け、両シート体を重ね合わせて前記物品収納用凹部により、物品収納部を形成し、両シート体のいずれか一方には、前記物品収納用凹部の周縁に嵌合用凸枠部を形成し、他方のシート体には、前記嵌合用凸枠部に嵌合しうる嵌合用凹枠部を設けてなり、前記嵌合用凸枠部の内側面が前記物品収納部内に収納される物品の外側面に密接するように形成したことで、物品収納部の周縁に形成した嵌合用凸枠部の内側面が、前記物品収納部内に収納される物品の外側面に密接するので、嵌合用凸枠部が物品用収納空間内に収納された物品を固定するとともに、収納された物品により嵌合用凸枠部の側面が嵌合用凹枠部の側面に押し着けられることで、前記凸枠部と凹枠部との嵌合強度が増大し、物品収納用凹部内に収納された物品を該凹部内に固定するための固定用リブなどの余分な構造を採用することなく、物品収納用凹部内に収納された物品を確実に固定可能である。
【００４２】
また、前記２枚のシート体とは別途設けた印刷台紙の端部を、前記２枚のシート体に設けたフランジ間及び／又は摘み部間に挟持固定するとともに、前記２枚のシート体における互いに重なり合うフランジ及び／又は摘み部の一方に嵌合凸部を、他方に嵌合凹部又は嵌合穴を設け、印刷台紙の端部を、該端部に設けた係止穴に前記嵌合凸部を挿通した状態で前記２枚のシート体における互いに重なり合うフランジ及び／又は摘み部間に挟持し、前記嵌合凸部と嵌合凹部若しくは嵌合穴とを嵌合することで、印刷台紙を２枚のシート体からなる包装容器に取り付けて印刷部を設けることができる。さらに、前記２枚のシート体間に挟持される印刷台紙端縁の外形形状を、包装容器の嵌合用凸枠部の外周形状に一致させ、該端縁を嵌合用凸枠部の外側面に当接させることで、２枚のシート体間に印刷台紙を確実に挟持、取り付けることができ、包装容器に対して印刷台紙をガタツキなく取り付けることができ、包装容器に、該包装容器の物品収納部内に収納された物品の商標、説明、製造会社名、販売会社名などの各種情報を印刷する印刷部を設けることができる。また、このように、印刷部を、包装容器を構成する２枚のシート体とは別に包装台紙として形成し、包装容器に取り付ける構成とすることで、シート体における物品収納用凹部の成形、印刷台紙における各種情報の印刷作業が容易となり、高度な印刷技術や成形技術を必要としたり、あるいは物品を包装する際の作業を複雑化させることなく、印刷部を設けることが可能となる。
【００４３】
また前記包装容器の周囲に、物品収納部から外側へ突出するフランジや摘み部を設け、更に前記フランジや摘み部から外側に突出する印刷部を設けた包装容器にあっては、前記印刷部における前記フランジ又は摘み部から突出した部分の基端部に折曲線を設けておくことが好ましい。この場合には、この包装容器を運搬、保管などのために所定数毎に箱に収納する際に、例えば前記折曲線にそって印刷部を包装容器に対してほぼ直角または直角に近い角度に折曲しておけば、複数の包装容器を水平方向に、また印刷部をほぼ垂直方向に、ほぼ密接した状態で収納することができ、前記印刷部や印刷台紙を設けたために、包装容器を収納する箱内に余分な空間が必要となることを極力防止し、前記箱内への包装容器の収納効率を高めることができる。また、この包装容器を店頭展示する場合には、前記折曲した印刷台紙を包装容器と重ならないように広げることで、該印刷台紙に印刷した商標、商品説明、製造会社名、販売会社名などを消費者が容易に判読することができる。更に、前記印刷台紙に吊り下げ用穴を設けておけば、店頭展示などの際に、陳列台の垂直壁面から略水平に突設した支持棒を前記吊り下げ用穴に通すことで、包装容器を水平方向に重ねた状態で、容易且つ購入者から見やすい状態に展示することができる。
【００４４】
さらに、前記フランジや摘み部から突出した印刷部に設けた折曲線の中途部に開穴を設けておくことで、該折曲線に沿って印刷部を折曲し、またフランジ又は摘み部のほぼ延長線上に沿って真っ直ぐに伸ばすことが容易となる。
【００４５】
更に、前記２枚のシート体のいずれか一方に設けた物品収納用凹部の周縁に嵌合用凹枠部を設け、他方のシート体に前記嵌合用凹枠部に嵌合する嵌合用凸枠部を設け、前記嵌合用凹枠部及び嵌合用凸枠部の周囲から外側にそれぞれフランジ及び／又は摘み部を突設し、前記物品収納用凹部を設けたシート体のフランジ又は摘み部に嵌合凸部を、他方のシート体のフランジ又は摘み部に前記嵌合凸部に嵌合する嵌合凹部又は嵌合穴を設け、該嵌合凹部又は嵌合穴に前記嵌合凸部を嵌合するとともに、前記嵌合凹部又は嵌合穴から突出した嵌合凸部を、前記２枚のシート体とは別部材にて形成した印刷台紙に設けた係止穴へ装着することで、印刷台紙を包装容器に対して回動可能に装着してなる包装容器においては、この包装容器を運搬、保管などのために所定数毎に箱に収納する際に、前記印刷台紙を包装容器に重なる位置に回動させておけば、包装容器を水平方向に、または垂直方向に、互いにほぼ密接した状態で収納することができ、収納する箱内に前記印刷部や印刷台紙を設けたために余分な空間が必要となることを極力防止し、前記箱内への包装容器の収納効率を高めることができる。また、この包装容器を店頭展示する場合には、前記印刷台紙を包装容器と重ならない位置まで回動させることで、該印刷台紙に印刷した商標、商品説明、製造会社名、販売会社名などを消費者が容易に判読することができる。更に、前記印刷台紙に吊り下げ用穴を設けておけば、店頭展示などの際に、陳列台の垂直壁面から略水平に突設した支持棒を前記吊り下げ用穴に通すことで、包装容器を水平方向に重ねた状態で、容易且つ購入者から見やすい状態に展示することができる。
【図面の簡単な説明】
【図１】本発明に係る包装容器にケース入りデンタルフロスを収容した状態の斜視図である。
【図２】前記ケース入りデンタルフロスを収容した包装容器の分解斜視図である。
【図３】前記ケース入りデンタルフロスを収容した包装容器の縦断側面図である。
【図４】前記ケース入りデンタルフロスを収容した包装容器を開いた状態の縦断側面図である。
【図５】ケース入りデンタルフロスを収容した本発明に係る包装容器の別の実施の形態を示し、（ａ）は正面図、（ｂ）は側面図である。
【図６】ケース入りデンタルフロスを収容した本発明に係る包装容器の更に別の実施の形態を示し、（ａ）は正面図、（ｂ）は側面図である。
【符号の説明】
１：包装容器、２：シート体、３：シート体、４：物品収納用凹部、５：物品収納用凹部、６：物品収納部、７：嵌合用凸枠部、８：嵌合用凹枠部、９：フランジ、１０：フランジ、１１：係止凹部、１２：係止凸部、１３：摘み部、１４：摘み部、１５：折曲線、１６：印刷部、１７：印刷台紙、１８：印刷台紙の端部、１９：嵌合凹部、２０：嵌合凸部、２１：係止穴、２２：端縁、２３：吊り下げ用穴、１００：包装容器、１０１：折曲線、１０２：開穴、２００：包装容器、２０１：嵌合穴、２０１：係止穴、Ａ：ケース入りデンタルフロス。
【図１】
2005014944.tif 000003
【図２】
2005014944.tif 000004
【図３】
2005014944.tif 000005
【図４】
2005014944.tif 000006
【図５】
2005014944.tif 000007
【図６】
2005014944.tif 000008